(57)【特許請求の範囲】
【請求項１】
長手方向の両端が開口されるように、対となる２つの開口部が形成され、手で握ることが可能な筒状の形状とされた外装ケースと、
当該外装ケースの前記開口部をそれぞれ開閉する蓋体と、
前記外装ケースの内部に形成された空間に収容される、前記開口部に両端を配置し、当該両端にそれぞれ挿入口を有し、当該２つの挿入口を繋いで内部を貫通する１本の挿入部が形成された筒状の内装部材と、
前記内装部材と前記外装ケースとの間に介在される緩衝材と、を備え、
前記蓋体の一方は、使用時に使用者の陰茎を挿入するための、前記２つの挿入口のうちの一方の挿入口が現れるようにするために外される蓋体となり、
前記蓋体の他方は、使用時の開閉により、前記使用者の陰茎に対する締め付け感を調整する蓋体となることを特徴とする射精促進器。
【請求項２】
前記内装部材が、前記挿入部により内部が長手方向に貫通された本体部と、
前記本体部の長手方向両端に配設された円盤形状のフランジと、を備え、
当該フランジの略中央に前記挿入口を有し、
前記本体部と前記フランジが一体となって形成されていることを特徴とする請求項１に記載の射精促進器。
【請求項３】
前記蓋体が、前記外装ケースの軸方向を中心に回転させることにより開閉可能とされていることを特徴とする請求項１または請求項２に記載の射精促進器。
【請求項４】
前記内装部材における前記挿入口を中心に円状に取り囲むように、前記フランジの天面から断面視で凹溝となる円状溝が形成されていることを特徴とする請求項２または請求項３に記載の射精促進器。
【発明の詳細な説明】
【技術分野】
【０００１】
本発明は、射精促進器に関する。さらに詳しくは、男性の陰茎（ペニス）に刺激を与えることにより、射精を促進・誘発し、精子（精液）採取器としても使用可能な射精促進器に関する。
【背景技術】
【０００２】
射精促進器ないし精子（精液）採取器（以下、単に「射精促進器等」とする場合もある。）は、陰茎（ペニス）を挿入する内装部材について、陰茎との密着性や刺激等を高めるために、陰茎のサイズや形状等に応じて内部構造等にいろいろな工夫がなされている。また、このような射精促進器は、精子の採取器（精子採取器、精子採取装置等）として、医学的な研究や治療等の見地に加えて、個人的な性的欲求を解消させることによる性犯罪の予防等の社会的な要求という見地からも、極めて重要とされている。
【０００３】
ここで、従来の射精促進器等としては、例えば、緩衝材を内挿した円筒状の外装ケースに形成された空間に、陰茎を挿入するための筒状の空間となる挿入部を内部に有する弾性変形自在なエラストマー等の合成樹脂等からなる内装部材を配設し、かかる内装部材の挿入部の内壁に複数の小突起や襞形状が形成された構造とされるものが知られている（例えば、特許文献１ないし特許文献３を参照。）。なお、内装部材の挿入部の内壁に形成された小突起や襞状形状としては、例えば、直線または波線状のリブや、ポリープ状の小突起や襞形状を呈することにより膣構造を模すような形状とされており、陰茎を内装部材の挿入部に挿入した際には、陰茎に対して膣に挿入されたと同様な刺激が与えられるようにしている。
【先行技術文献】
【特許文献】
【０００４】
【特許文献１】実用新案登録第３０７６１８３号公報
【特許文献２】特許第４６９１３９８号公報
【特許文献３】特開２０１３−４６７４７号公報
【発明の開示】
【発明が解決しようとする課題】
【０００５】
しかしながら、前記した従来の射精促進器等は、筒状の空間となる挿入部について一端が開口され、他端が塞がれた構成のものが多く、開口された一端に形成された開口部から陰茎を挿入するのであるが、前記したように他端が塞がれているため、使用時における陰茎に与える圧迫感が強くなることがあり、陰茎への刺激ないしは射精の促進へ悪影響を与える場合があった。
【０００６】
加えて、一端が開口されているだけである場合には、射精後の精子ないし精液の採取が面倒となるとともに、射精促進器等を射精後に洗浄する際に、洗浄作業が困難な場合があり、内装部材の内部に精液（精子）や、使用されたローション等が残ってしまったりする等、衛生上好ましいものとはいえなかった。
【０００７】
本発明の目的は、前記の課題に鑑みてなされたものであり、使用時に陰茎に圧迫感を与えることを抑制しつつ、陰茎に与える刺激にバリエーションを持たせることができるとともに、洗浄を簡便に行うことが可能であり、衛生面にも優れた射精促進器を提供することにある。
【課題を解決するための手段】
【０００８】
前記の課題を解決するために、本発明に係る射精促進器は、長手方向の両端が開口されるように、対となる２つの開口部が形成され、手で握ることが可能な筒状の形状とされた外装ケースと、当該外装ケースの前記開口部をそれぞれ開閉する蓋体と、前記外装ケースの内部に形成された空間に収容される、前記開口部に両端を配置し、当該両端にそれぞれ挿入口を有し、当該２つの挿入口を繋いで内部を貫通する１本の挿入部が形成された筒状の内装部材と、前記内装部材と前記外装ケースとの間に介在される緩衝材と、を備え、前記蓋体の一方は、使用時に使用者の陰茎を挿入するための、前記２つの挿入口のうちの一方の挿入口が現れるようにするために外される蓋体となり、前記蓋体の他方は、使用時の開閉により、前記使用者の陰茎に対する締め付け感を調整する蓋体となることを特徴とする。
【０００９】
本発明に係る射精促進器は、前記した本発明において、前記内装部材が、前記挿入部により内部が長手方向に貫通された本体部と、前記本体部の長手方向両端に配設された円盤形状のフランジと、を備え、当該フランジの略中央に前記挿入口を有し、前記本体部と前記フランジが一体となって形成されていることを特徴とする。
【００１０】
本発明に係る射精促進器は、前記した本発明において、前記蓋体が、前記外装ケースの軸方向を中心に回転させることにより開閉可能とされていることを特徴とする。
【００１１】
本発明に係る射精促進器は、前記した本発明において、前記内装部材における前記挿入口を中心に円状に取り囲むように、前記フランジの天面から断面視で凹溝となる円状溝が形成されていることを特徴とする。
【発明の効果】
【００１２】
本発明に係る射精促進器は、外装ケースの両端の開口される開口部を蓋体により開閉可能とされているとともに、内装部材の内部に形成される、陰茎が挿入される挿入部が貫通されているので、使用時における陰茎の圧迫感を、陰茎が挿入されていない他方の蓋体の開閉度合いを調整することにより制御可能となり、陰茎に過度の圧迫感が付与されることを防止することができる。また、他方の蓋体の開閉度合いの調整により、陰茎に与える刺激にバリエーションを持たせることができるため、使用性が良好であり、精子（精液）の採取及び射精の促進を効率よく行うことができる。加えて、外装ケースの両端が開口されており、挿入部が貫通されているので、使用後に洗浄を簡便に行うことが可能であり、衛生面にも優れた射精促進器となる。
【図面の簡単な説明】
【００１３】
【図１】本発明に係る射精促進器の一態様を示す斜視図である。
【図２】射精促進器の分解図である。
【図３】本発明に係る射精促進器の一態様を示した正面図である。
【図４】図３のＡ−Ａ断面図（内装部材及び緩衝材が存在しない状態）である。
【図５】図３のＡ−Ａ断面図（内装部材が存在し、緩衝材が存在しない状態）である。
【図６】図３のＡ−Ａ断面図（内装部材及び緩衝材が存在する状態）である。
【図７】内装部材の一態様を示した斜視図である。
【図８】図７のＢ−Ｂ断面図である。
【図９】内装部材と緩衝材を組み合わせた図である。
【図１０】図３において、蓋体及び取付リングを外した状態を示した正面図である。
【発明を実施するための形態】
【００１４】
以下、本発明の実施形態の例を図面に基づいて説明する。
【００１５】
（Ｉ）射精促進器１の構成：
図１は、本発明に係る射精促進器１の一態様を示した斜視図、図２は、射精促進器１の分解図、図３は、本発明に係る射精促進器１の一態様を示した正面図、をそれぞれ示す（なお、図２の分解図にあっては、図５以降で詳説する内装部材５及び緩衝材８については載せていない。）。本実施形態に係る射精促進器１は、精子（精液）を採取する装置（精子採取装置）としても使用することができ、長手方向の両端が開口され、手で握ることが可能な筒状の形状とされた外装ケース２と、かかる外装ケース２の２つの開口部２１を開閉する蓋体３と、外装ケース２の内部に形成された空間４に収容される、開口部２１に両端を配置し、両端にそれぞれ挿入口５１を有し、かかる２つの挿入口５１を繋いで内部を貫通する挿入部５２が形成された筒状の内装部材５と、内装部材５と外装ケース２との間に介在される緩衝材８と、を基本構成として備える。なお、図１は、蓋体３（蓋体３ａ，３ｂ）により外装ケース２の開口部２１が閉められた状態を示している（図３ないし図６についても同じ。）。
【００１６】
本発明に係る射精促進器１において、外装ケース２は、内装部材５及び緩衝材８（ともに後記）を収容する空間４（図４等参照）を内部に有し、長手方向（例えば、図１等の矢印方向。以下同じ。）の両端がそれぞれ開口された筒体であり、外装ケース２の開口部２１は、外装ケース２に着脱可能に形成された蓋体３により開閉されるものである。
【００１７】
外装ケース２は、例えば、合成樹脂により構成されることができ、開口部２１から陰茎を挿入した状態で、図示しない使用者の手で握ることが可能な筒状の形状とされていれば特に制限はなく、本実施形態にあっては、図１等に示すように、長手方向の略中央に、平面視でなだらかな山状となる小径部２２と、かかる小径部２２を挟んで、小径部２２より大きな径からなる２つの大径部２３，２４が、小径部２２の中央に対して対称に形成されている。使用者は、大径部２３，２４と小径部２２の境界２５に手の親指と人差し指をかけて握ることができるため、使用者にとって握りやすい形状となる。
【００１８】
外装ケースの２つの開口部２１は、蓋体３により開閉可能とされる。蓋体３は、本実施形態にあっては、椀状に形成された部材を示しており、外装ケース２の円形状の開口部２１に対応する円形状の天面部３１と、天面部３１の周縁に外方へ延びるように形成された周縁部３２とからなる。また、蓋体３を外装ケース２の開口部２１に取り付けた場合にあっては、蓋体３の周縁部３２は、外装ケース２の大径部２３，２４に沿って段差を感じさせず繋がるようになり、使用者にとって握りやすい形状を維持することになる。蓋体３は、従来公知の合成樹脂や金属材料等で構成することができ、軽量性、加工性、コスト面等の観点から合成樹脂で構成されることが好ましい。
【００１９】
また、蓋体３の天面部３１の裏側（開口部２１と対面する側）には、図２に示すように、挿入口５１の周囲に２本の円周溝５３が形成された内装部材５（後記）の形状にあわせて、天面部３１の略中央に突起３３が、また、かかる突起３３を取り囲むように円状突起３５が２周にわたって形成されており、外装ケース２の開口部２１に対して位置決めして取り付けやすくされている。
【００２０】
図２に示すように、本実施形態における外装ケース２の開口部２１の周縁には、開口部２１の中心に対して対称の位置に凹部２６が形成されているとともに、かかる凹部２６から周方向に延びるように凸部格納部２７が形成されている。一方、蓋体３の周縁部３２におけるかかる凹部２６に対応する位置には凸部３４がそれぞれ形成されている（図２では、蓋体３ａにより開閉される開口部２１の周縁に、凹部２６、凸部格納部２７の１つが、また、蓋体３ｂに２つの凸部３４が示されている。一方、図示されていないが、蓋体３ａにより開閉される開口部２１の周縁に示された凹部２６、凸部格納部２７における開口部２１の中心に対して対称の位置には、もう１つの凹部２６、凸部格納部２７が形成されており、蓋体３ａの周縁部２１のこれらの凹部２６、凸部格納部２７に対応する位置には、凸部３４が形成されている。同様に、蓋体３ｂにより開閉される開口部２１の周縁における凸部３４に対応する位置には、凹部２６、凸部格納部２７が形成されているものである。）。なお、凸部３４が凹部２６から凸部格納部２７に入れられた状態にあっては、蓋体３は開口部２１に固定されることになり、凸部３４が凹部２６に置かれた状態にあっては、蓋体３により開口部２１は閉じられているが、凸部３４が凸部格納部２７に入れられた状態よりは密閉感はなく、凸部３４が凸部格納部２７に入れられた状態よりは内部への通気が比較的可能なようにされている。
【００２１】
本実施形態の構成において、蓋体３により外装ケース２の開口部２１を開閉するには、凹部２６に凸部３４を入れ、蓋体３を外装ケース２の軸方向（図２参照）を中心に、図２の矢印に示す回転方向に軽く回転させて、凸部３４を凸部格納部２７に移動させることにより、開口部２１に蓋体３を固定して、開口部２１を閉じた状態にすることができる。一方、この状態から、蓋体３を前記の方向とは逆方向に軽く回転させて、凸部３４を凸部格納部２７及び凹部２６から出すことにより、外装ケース２の開口部２１から蓋体３を取り外して、開口部２１を開けた状態とすることができる。このようにして、外装ケース２の開口部２１に対して蓋体３を取り付けたり取り外したりすることにより、開口部２１を蓋体３により開閉することが可能とされている。
【００２２】
蓋体３は、このように、外装ケース２の軸方向を中心に回転させることにより開閉可能とされていることが好ましい。このようにすることにより、使用者が外装ケース２を握った状態で蓋体３の開閉度合いを調整することができ、射精促進器１を手で握って使用しながら簡便に開閉状態を調整することができる。
【００２３】
次に、外装ケース２の空間４に収容される内装部材５について説明する。図４ないし図６は図３のＡ−Ａ断面図であり、図４は内装部材５及び緩衝材８が存在しない状態、図５は内装部材５が存在し、緩衝材８が存在しない状態、図６は内装部材５及び緩衝材８が存在する状態、をそれぞれ示している。また、図７は内装部材５の一態様を示した斜視図、図８は図７のＢ−Ｂ断面図、をそれぞれ示す。
【００２４】
本実施形態に係る射精促進器１を構成する、いわゆるコア部材となる内装部材５は、外装ケース２の空間４に収容され、外装ケース２の開口部２１にその両端が配置される筒状の部材である。内装部材５の両端は、それぞれ挿入口５１を有し、かかる２つの挿入口５１を繋いで貫通する挿入部５２が内部に形成されている。内装部材５は、本実施形態にあっては、図５等に示すように、陰茎が挿入される空間である挿入部５２によりその内部が貫通された本体部６と、かかる本体部６の長手方向両端に配設された、円盤形状のフランジ７により構成されており、本体部６とフランジ７が一体となって形成されているものである。
【００２５】
内装部材５は、フランジ７の略中心に形成されている、２つの挿入口５１と挿入部５２が繋がっていることで、挿入部５２が内装部材５の内部を貫通することになる。また、挿入部５２の内壁には、陰茎を刺激する部分（刺激部Ｘ）が形成されている。陰茎を刺激する部分（刺激部Ｘ）の形状の例としては、突起や襞形状、疣（いぼ）形状、蛇腹形状等が挙げられ、これらの刺激部Ｘを所定の配置で形成することができる。図５等には、刺激部Ｘの一例である突起と蛇腹形状を所定の配置で形成した態様を示している。本発明にあっては、外装ケース２の両端が開口されているとともに、かかる外装ケース２の内部に収納される内装部材５における２つの挿入口５１と挿入部５２が貫通されていることにより、陰茎を挿入することができる箇所が２つ形成されていることになるため、使用性が良好な射精促進器１となる。
【００２６】
また、挿入部５２の内壁に形成される、陰茎を刺激する部分（刺激部Ｘ）については、図５等に示すように、２つの挿入口５１付近から見てそれぞれ異なる形状とすることが好ましい。このようにすれば、陰茎に対して、２つの挿入口５１からそれぞれ異なる種類の刺激を与えることができる。また、かかる挿入口５１付近と、挿入部５２の略中央付近とは、異なる形状や配置を採用することが好ましい。このようにすれば、陰茎の一部（例えば、亀頭等）に、他の部分と異なる種類の刺激を与えることができる。
【００２７】
本体部６の長手方向両端に配設されるフランジ７の略中央に形成される挿入口５１の周囲には、さらに、２周にわたって円状溝５３が形成されている。かかる円状溝５３の形成により、適度な締め付けを与えながら陰茎を挿入口５１からその内部（挿入部５２）に挿入することができる。なお、前記したように、蓋体３を外装ケース２の開口部２１に取り付ける際には、蓋体３に形成された突起３３が挿入口５１に、また、蓋体３に形成された円状突起３５が円状溝５３にそれぞれ組み合わされることになる。
【００２８】
本体部６及びフランジ７を含む内装部材５を構成する材料としては、適当な弾力、伸縮性、柔軟性を備えた材料を使用することが理想的であり、例えば、エラストマー等のゲル状樹脂材料、ゲル状のゴム、シリコーン系樹脂、ポリスチレン系樹脂等により構成されることが好ましい。
【００２９】
図６に示すように、本発明に係る射精促進器１にあっては、内装部材５を外装ケース２に取り付けるに際し、内装部材５の周囲に緩衝材８が巻き付けられ、外装ケース２と内装部材５との間に緩衝材８が介在されることになる。図９は、内装部材５と緩衝材８を組み合わせた図である。緩衝材８は、例えば、スポンジ状の発泡樹脂シート等を用いることができ、内装部材５の本体部６に緩衝材８を巻き付け、かかる緩衝材８を巻き付けた内装部材５を外装ケース２の内部の空間４に配することになる。また、本実施形態にあっては、内装部材５のフランジ７を取付リング９（図２等参照）により外装ケース２の開口部２１に固定することで、外装ケース２と内装部材５との間に緩衝材８が介在されることになる。
【００３０】
図１０は、図３において、蓋体３及び取付リング９を外した状態を示した正面図である。図２及び図１０等に示すように、取付リング９は、本実施形態にあっては、内側にねじ山９１が形成され、外装ケース２の開口部２１の周縁に形成されたねじ山９２と螺合されることにより、内装部材５のフランジ７を固定しつつ、外装ケース２の内部に緩衝材８を保持することができる。なお、内装部材５のフランジ７を外装ケース２の開口部２１に固定するには、例えば、内装部材５のフランジ７の周縁を、前記したねじ山９１とねじ山９２の間に挟む等、取付リング９の内側と外装ケース２の開口部２１の周縁との間に挟み込む等により簡便に実施することができる。取付リング９は、蓋体３と同様、従来公知の合成樹脂や金属材料等で構成することができ、軽量性、加工性、コスト面等の観点から合成樹脂で構成されることが好ましい。また、取付リング９は、蓋体３と共通する合成樹脂で構成されることが好ましい。
【００３１】
なお、緩衝材８は、外装ケース２に内装部材５との間の空間４を埋めるように介在されるものであるが、緩衝材８の介在の程度をある程度密な状態とすることにより、内装部材５に適度な圧力をかけることができる。これにより、内装部材５の挿入口５１から挿入された陰茎に対して、緩衝材８による適度な締め付け感が伝わることになり、使用感が高まることになる。
【００３２】
（II）射精促進器１の使用方法：
以下、本実施形態に係る射精促進器１の使用方法の一例を説明する。
まず、射精促進器１の外装ケース２の一方の蓋体３ａを外して、外装ケース２の開口部２１を開いた状態とする。この時、開口部２１を開いた状態としたことにより現れる内装部材５の挿入口５１から図示しない潤滑剤（ローション）を注ぎ込んで塗りつけ、内装部材５の挿入部５２に潤滑剤をまんべんなく行き渡らせることが好ましい。また、かかる潤滑剤は、陰茎にも塗りつけておくことが好ましい。なお、他方の蓋体３ｂは、閉じた状態としておく。ここで、前記のように潤滑剤を使用する場合において、本発明を、精子（精液）を採取するための精子（精液）採取器（精子採取装置）としても使用するに際しては、殺精子薬を含有しない、潤滑を主たる目的として用いられる単なる潤滑剤を使用するようにすることが好ましい。
【００３３】
次に、陰茎を、開口されている開口部２１から確認できるフランジ７に形成される挿入口５１から挿入部５２へと挿入するようにする。陰茎は、ある程度勃起した状態で挿入した方が使用上好ましい。挿入口５１から挿入部５２へ陰茎を挿入した後、使用者は射精促進器１を握り、好ましくは陰茎の長手方向に沿って適度に上下に動かすことにより、陰茎は、内装部材５の挿入部５２の内部に形成された突起や襞等の刺激部Ｘにより刺激されることになる。また、使用者が射精促進器１を握りしめることによって、介在された緩衝材８を介して、内装部材５から陰茎が圧迫され、締め付け感が伝わることになる。
【００３４】
ここで、陰茎に対する締め付け感が強いと感じる場合には、使用者は、閉じられている他方の蓋体３ｂを緩めることにより、挿入部５２に対する通気量が変化し、陰茎に対する締め付け感を弱くすることができる。本発明は、このような他方の蓋体３ｂの開閉により、陰茎に対する締め付け感を簡便に調整して、陰茎に対する刺激を変化させることができる。なお、陰茎に対してある程度の開放感を与えたい場合には、他方の蓋体３ｂを外し、他方の蓋体３ｂにより隠れていた、陰茎を挿入していない側の挿入口５１が外部に現れるようにしてもよい。
【００３５】
なお、従来の射精促進器等の中では、使用しない際にはシールにより封止された通気孔が天面に形成され、使用時には、シールを除去し、使用中に指で通気孔を開閉する動作を行うことにより、内装部材と陰茎との間の密着度、密着感を調整することができるものが提供されていた。一方、指（おそらく人差し指が使用されるものと思われる。）を天面まで伸ばしてこのような動作を行うと、指にシール等が被着したりして煩わしく、また、指を天面に伸ばす際に、射精促進器等を握る手の感覚等が微妙に変化し、陰茎への刺激が思うようにいかなくなる場合があるという問題があった。これに対して、本発明に係る射精促進器１は、このような問題が生じることなく、他方の蓋体３ｂの開閉という簡便な動作（射精促進器１を握った状態のままで行える動作）で陰茎に対する締め付け感を変えることができるので好ましい。
【００３６】
前記のような操作により使用者が射精した後は、他方の蓋体３ｂを外して、必要により他方の蓋体３ｂ側の開口部２１に現れる挿入口５１から所望の量の精子（精液）を採取するとともに、２つの蓋体３（３ａ，３ｂ）を外した状態で、内装部材５の内部空間である挿入部５２等に残った精子（精液）等を洗浄するようにする。また、蓋体３（３ａ，３ｂ）も洗浄するようにする。なお、前記した精子（精液）の採取は、他方の蓋体３ｂを取り付けたまま（閉じたまま）で、開放されている一方の挿入口５１にスポイト等を差し込んで吸引することにより実施するようにしても構わない。
【００３７】
（III）本発明の効果：
以上説明した本発明に係る射精促進器１は、外装ケース２の両端の開口される開口部２１を蓋体３により開閉可能とされているとともに、内装部材５の内部に形成される、陰茎が挿入される挿入部５２が貫通されているので、使用時における陰茎の圧迫感を、陰茎が挿入されていない他方の蓋体３ｂの開閉度合いを調整することにより制御可能となり、陰茎に過度の圧迫感が付与されることを防止することができる。また、他方の蓋体３ｂの開閉度合いの調整により、陰茎に与える刺激にバリエーションを持たせることができるため、使用性が良好であり、精子（精液）の採取及び射精の促進を効率よく行うことができる。加えて、外装ケース２の両端が開口されており、挿入部５２が貫通されているので、使用後に洗浄を簡便に行うことが可能であり、衛生面にも優れた射精促進器１となる。
【００３８】
（Ｂ）実施形態の変形：
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００３９】
例えば、前記した実施形態では、内装部材５の挿入部５２の内壁に形成される、陰茎を刺激する部分（刺激部Ｘ）の形状の一例について、突起と蛇腹形状を所定の配置で形成した態様を図５等に示して説明したが、刺激部Ｘの形状については前記したもの以外でもよく、刺激を与える可能性を有する従来公知の形状を採用することができる。
【００４０】
また、蓋体３により外装ケース２の開口部２１を開閉するための手段については、前記した実施形態に示した手段には限定されず、例えば、蓋体３の周縁部３２の内側と外装ケース２の開口部２１の周縁に螺合可能な図示しないねじ山をそれぞれ形成するようにして、蓋体３と外装ケース２の開口部２１を螺合させて開閉させるようにしてもよく、その他、蓋体３により外装ケース２の開口部２１を開閉できるのであれば、その手段は特に限定されない。
【００４１】
前記した実施形態では、外装ケース２の形状について、長手方向の略中央に、平面視でなだらかな山状となる小径部２２と、かかる小径部２２を挟んで、小径部２２より大きな径からなる２つの大径部２３，２４が、小径部２２の中央に対して対称に形成されている態様を、図１ないし図３等に示して説明したが、外装ケース２の形状はこれには限定されず、使用者の手で握ることが可能な筒状とされればその形状等は任意に決定することができる。
【００４２】
前記した実施形態の（II）では、潤滑剤があらかじめ注ぎ込まれておらず、使用時に潤滑剤を注ぎ込むようにした使用方法を例に挙げて説明した。一方、本発明に係る射精促進器１は、潤滑剤を挿入部５２等にあらかじめ注ぎ込んだ状態で蓋体３を閉めてパッケージングして流通、販売するようにしてもよい。なお、その際には、挿入口５１に、使用時に容易に取り外すことができる図示しないスポンジ等からなる略円形の板状部材を載置したり、使用時に容易に取り外すことができる図示しない栓等をすることにより、流通時等の潤滑剤の漏れ等を防止することが好ましい。
その他、本発明の実施の際の具体的な構造及び形状等は、本発明の目的を達成できる範
囲で他の構造等としてもよい。
【産業上の利用可能性】
【００４３】
本発明は、医療用途はもちろんのこと、男性の性的衝動等を抑制することにより、健全な社会構築等の手助けとなることができるため、産業上の利用可能性は極めて高い。
【符号の説明】
【００４４】
１  ……  射精促進器
２  ……  外装ケース
２１  ……  開口部
２２  ……  小径部
２３，２４  ……  大径部
２５  ……  境界
２６  ……  凹部
２７  ……  凸部格納部
３  ……  蓋体
３ａ  ……  蓋体（一方の蓋体）
３ｂ  ……  蓋体（他方の蓋体）
３１  ……  天面部
３２  ……  周縁部
３３  ……  突起
３４  ……  凸部
３５  ……  円状突起
４  ……  空間
５  ……  内装部材
５１  ……  挿入口
５２  ……  挿入部
５３  ……  円状溝
６  ……  本体部
７  ……  フランジ
８  ……  緩衝材
９  ……  取付リング
９１，９２  ……  ねじ山
Ｘ  ……  刺激部
【図１】
0005960653.tif 000002
【図２】
0005960653.tif 000003
【図３】
0005960653.tif 000004
【図４】
0005960653.tif 000005
【図５】
0005960653.tif 000006
【図６】
0005960653.tif 000007
【図７】
0005960653.tif 000008
【図８】
0005960653.tif 000009
【図９】
0005960653.tif 000010
【図１０】
0005960653.tif 000011